(57)【特許請求の範囲】
【請求項１】
板状のインサート部材の一部分を外部に露出させ、他の一部分を成形品本体にインサートして成形するための固定、可動の両成形型を備えた成形型装置であって、
前記可動型を閉じたとき、前記固定、可動の両成形型の間には、前記インサート部材のインサート部分が配置されるキャビティが形成され、
前記固定、可動の両成形型のうち、一方の成形型には、前記インサート部材の露出部分を載置する載置部と、前記載置部に載置された前記露出部分を前記載置部に弾性的に押付けて保持するための保持手段が設けられ、
前記保持手段は、前記キャビティに前記インサート部材のインサート部分が配置されかつ前記載置部に前記インサート部材の露出部分が載置されたときに前記露出部分の縁に接触して前記露出部分を表面側から前記載置部に向けて押し付ける押え位置と、前記インサートの露出部分を載置するときに前記載置部から退避する退避位置との間で変位可能な押え部と、前記押え部を前記押え位置に向けて弾性的に付勢する弾発部とを備えている成形型装置。
【請求項２】
請求項１に記載の成形型装置であって、保持手段の押え部は、一方の成形型の所定位置に進退可能に組み付けられて押え位置と退避位置とに変位するボール状の可動押付部材によって形成され、前記保持手段の弾発部は、前記可動押付部材を前記押え位置に向けて弾発するバネ部材によって構成されている成形型装置。
【請求項３】
請求項１に記載の成形型装置であって、保持手段の押え部は、一方の成形型の所定位置に傾動可能に組み付けられて押え位置と退避位置とに変位する傾動押付部材によって形成され、前記保持手段の弾発部は、前記傾動押付部材を前記押え位置に向けて弾発するバネ部材によって構成されている成形型装置。
【請求項４】
請求項１に記載の成形型装置であって、保持手段の押え部及び弾発部は一つのバネ部材によって一体に形成され、前記板バネ部材が一方の成形型の所定位置に弾性変形可能に組み付けられている成形型装置。
【発明の詳細な説明】
【０００１】
【発明の属する技術分野】
この発明は、インサート部材を成形品本体にインサートして成形するための一対の成形型を備えた成形型装置に関する。
【０００２】
【従来の技術】
従来、成形品本体の所要位置にインサート部材をインサートして成形する場合、予め、一対の成形型のうち、一方の成形型に形成された溝状の載置部にインサート部材が嵌込まれて載置される。
その後、一対の成形型が型締めされ、これら一対の成形型の間に形成されたキャビティに合成樹脂材料が射出されることで、インサート部材がインサートされた成形品本体が成形されるようになっている。
【０００３】
【発明が解決しようとする課題】
ところで、プレスの打抜加工によって形成された板金により板状のインサート部材が構成される場合、そのインサート部材は部分的に撓み変形して構成されることが多々ある。
このような部分的に撓んだインサート部材が一方の成形型の載置部に載置されると、その後、一対の成形型が型締めされる直前において、インサート部材の一部が他方の成形型に不測に当たり、インサート部材が成形型の載置部から位置ずれする場合がある。このような場合、成形品本体の所要とする位置にインサート部材をインサートできなくなる。
また、インサート部材が成形型の載置部から大きく位置ずれすると、その後、一対の成形型を型締めするときに、インサート部材が一対の成形型の間にくい込み、これが原因となって一対の成形型が破損する不具合が発生することもある。
【０００４】
この発明の目的は、前記従来の問題点に鑑み、簡単な構造によって一方の成形型の載置部に載置されるインサート部材を位置ずれすることなく保持することができる成形型装置を提供することである。
【０００５】
【課題を解決するための手段】
前記目的を達成するために、請求項１に係る成形型装置は、板状のインサート部材の一部分を外部に露出させ、他の一部分を成形品本体にインサートして成形するための固定、可動の両成形型を備えた成形型装置であって、
前記可動型を閉じたとき、前記固定、可動の両成形型の間には、前記インサート部材のインサート部分が配置されるキャビティが形成され、
前記固定、可動の両成形型のうち、一方の成形型には、前記インサート部材の露出部分を載置する載置部と、前記載置部に載置された前記露出部分を前記載置部に弾性的に押付けて保持するための保持手段が設けられ、
前記保持手段は、前記キャビティに前記インサート部材のインサート部分が配置されかつ前記載置部に前記インサート部材の露出部分が載置されたときに前記露出部分の縁に接触して前記露出部分を表面側から前記載置部に向けて押し付ける押え位置と、前記インサートの露出部分を載置するときに前記載置部から退避する退避位置との間で変位可能な押え部と、前記押え部を前記押え位置に向けて弾性的に付勢する弾発部とを備えている。
したがって、保持手段の弾発部によって押え部が押え位置に弾性的に付勢され、押え部によってインサート部材の露出部分が表面側から成形型の載置部に弾性的に押し付けられて保持される。このため、成形型が型締めされるまでの間に、インサート部材の一部が不測に浮き上って他方の成形型にインサート部材が不測に当たって位置ずれし、両成形型の間にくい込む不具合が防止される。
また、押え部が弾発部の弾発力に抗して退避位置に変位されるので、成形型の載置部にインサート部材を容易に取り付け、また、容易に取り外すことができる。
【０００６】
また、第２の発明は、請求項２に記載のとおりの構成を要旨とし、保持手段の押え部は、一方の成形型の所定位置に進退可能に組み付けられて押え位置と退避位置とに変位するボール状の可動押付部材によって形成され、前記保持手段の弾発部は、前記可動押付部材を前記押え位置に向けて弾発するバネ部材によって構成されている。
【０００７】
第３の発明は、請求項３に記載のとおりの構成を要旨とし、保持手段の押え部は、一方の成形型の所定位置に傾動可能に組み付けられて押え位置と退避位置とに変位する傾動押付部材によって形成され、前記保持手段の弾発部は、前記傾動押付部材を前記押え位置に向けて弾発するバネ部材によって構成されている。
【０００８】
第４の発明は、請求項４に記載のとおりの構成を要旨とし、保持手段の押え部及び弾発部は一つのバネ部材によって一体に形成され、バネ部材が一方の成形型の所定位置に弾性変形可能に組み付けられている。
したがって、保持手段を一つのバネ部材によって容易にかつ安価に製作することができるとともに、一方の成形型に対するバネ部材の組み付けもネジ等によって極めて簡単に組み付けることができる。
【０００９】
【発明の実施の形態】
この発明の実施の形態を図面にしたがって説明する。
この実施の形態では合成樹脂製の成形品本体としての本体ケース２の一側にコネクタ部５を一体に有する成形品１を成形するための成形型装置を例示する。
成形品１を斜視図で表した図６、平面で表した図７及び図７のＶＩＩＩ−ＶＩＩＩ線に沿う断面で表した図８において、合成樹脂材料によって略方形枠体状に形成された合成樹脂製の成形品本体としての本体ケース２には、一側方の壁部３の外側面において、略四角筒状のコネクタ部５が一体に形成されている。
本体ケース２の一側方の壁部３と対向する側の壁部４には、内面側略中間高さ位置において台座部８が一体に突設されている。
さらに、本体ケース２には、台座部８と一側方の壁部３に跨って板状のインサート部材としての板金よりなる複数の導電部材１０が架設されている。これら複数の導電部材１０の端末部は本体ケース２の一側の壁部３を貫通してコネクタ部５の差込空間部６まで延出している。そして、複数の導電部材１０の端末部によってコネクタピン１３が構成されるようになっている。すなわち、板状のインサート部材としての複数の導電部材１０は、一部分が外部に露出され、他の一部分が成形品本体としての本体ケース２の内部に埋設、すなわちインサートされている。
【００１０】
図１〜図５において、前記コネクタ部５を一体に有する本体ケース２に複数の導電部材１０をインサートして成形品１を成形するための成形型装置２０が示されている。
この成形型装置２０は、図４に示すように上下一対をなす固定の成形型３０と可動の成形型４０とを備えている。
さらに、図２と図３に示すように、固定の成形型３０と可動の成形型４０との間には、コネクタ部５を成形するためのスライド型５０が図３に示すように左右方向に進退可能に組み付けられている。そして固定の成形型３０、可動の成形型４０及びスライド型５０の間にはコネクタ部５を一体に備えた本体ケース２を成形するためのキャビティ２１が形成されている。
図４に示すように、下側の固定の成形型３０には、上面の周縁部に型合せ面３１が形成され、その型合せ面３１の内側に沿ってキャビティ２１の主要部を形成する成形凹部３２が形成されている。
【００１１】
前記固定の成形型３０の上面には、複数（図２では５本）の導電部材１０の露出部分の一部分が嵌込まれて載置される凹溝状の載置部３４がそれぞれ形成されている。
固定の成形型３０には、複数の導電部材１０のうち固定の成形型３０の載置部３４から浮き上がりが生じやすい導電部材１０、例えば、図２に示すように左側から２番目と３番目の導電部材１０ａ、１０ｂを、これら導電部材１０ａ、１０ｂの露出部分の表面（上面）側から各載置部３４に向けてそれぞれ弾性的に押し付けて保持するための押え部６５と弾発部６８とを備えた保持手段６０が配設されている。
【００１２】
この実施の形態において、保持手段６０の押え部６５及び弾発部６８は、平帯状のバネ板材が所要とする形状に折り曲げられて形成された一つの板バネ部材６１によって一体に形成されている。
すなわち、固定の成形型３０上面の図２、及び図４において左側から２番目と３番目の導電部材１０ａ、１０ｂに対応する各載置部３４の片側には、各載置部３４の長手方向複数箇所（図２では各２箇所）において、板バネ部材６１をそれぞれ組み付けるための組付凹部３５がそれぞれ凹設されている。
【００１３】
これら組付凹部３５にそれぞれ組み付けられる板バネ部材６１は、取付部６２、脚部６４、差込案内部６７及び押え部６５を一体連続状に備えている。
そして、板バネ部材６１は下部に形成された取付部６２において、組付凹部３５の底面に取付ネジ６３によって固定されている。
板バネ部材６１の取付部６２の一端には、上方に向けて立ち上がりかつ弾発部６８として機能する脚部６４が直角状に折り曲げ形成されている。さらに、脚部６４の先端には、載置部３４に対し導電部材１０ａ、１０ｂの露出部分を着脱案内するための差込案内部６７が下向きに折り返されて形成され、差込案内部６７の先端には、下向きの湾曲状をなして押え部６５が屈曲形成されている。
そして、押え部６５の先端（下端）部寄り外面が押え面とされ、押え面によって導電部材１０ａ、１０ｂを表面側から載置部３４に向けて押し付けるようになっている。
【００１４】
また、この実施の形態において、図１の（Ａ）及び（Ｂ）に示すように、固定の成形型３０上面において、導電部材１０ａ、１０ｂの露出部分に対応する各載置部３４の反対側には、導電部材１０ａ、１０ｂの露出部分を載置するときの案内をする傾斜状の案内面３８を有する案内凸部３７が突設されている。
また、図４に示すように、前記固定の成形型３０に対し上下方向に型開き及び型締め動作する可動の成形型４０には、下面の周縁部に型合せ面４１が形成され、型合せ面４１の内側には、固定の成形型３０の成形凹部３２及びスライド型５０と協働してキャビティ２１を形成する成形部４２が形成されている。さらに、可動の成形型４０の下面には、固定の成形型３０に組み付けられた各板バネ部材６１及び各案内凸部３７に干渉することがないように、格納凹部４４と嵌合凹部４５とがそれぞれ形成されている。
【００１５】
この実施の形態に係る成形型装置は上述したように構成される。したがって、図４に示すように、固定の成形型３０に対し可動の成形型４０が型開き状態にあるときに、固定の成形型３０の各載置部３４に導電部材１０の露出部分がそれぞれ載置される。
前記導電部材１０のうち、固定の成形型３０の載置部３４から浮き上がりが生じやすい導電部材１０ａ、１０ｂが固定の成形型３０の載置部３４にそれぞれ載置される際、これら導電部材１０ａ、１０ｂは、固定の成形型３０に組み付けられた各板バネ部材６１の差込案内部６７と案内凸部の案内面にそれぞれ案内されながら、固定の成形型３０の載置部３４にそれぞれ載置される（図１の（Ａ）及び（Ｂ）参照）。
【００１６】
この際、各板バネ部材６１は、弾発部６８としての脚部６４を弾性的に撓ませながら、その押え部６５が導電部材１０ａ、１０ｂの露出部分の載置を許容する退避位置まで後退する（図１の（Ｂ）参照）。このため、固定の成形型３０の載置部３４に対し導電部材１０ａ、１０ｂが容易にかつ正確に載置される。そして、固定の成形型３０の載置部３４に対し導電部材１０ａ、１０ｂの露出部分が載置されると、前記板バネ部材６１の脚部６４の撓みに基づく弾発力が押え部６５に作用し、押え部６５が押え位置まで前進する（図１の（Ａ）参照）。そして、押え位置まで前進した押え部６５の押え面によって導電部材１０ａ、１０ｂの露出部分が表面側から固定の成形型３０の載置部３４に向けて弾性的に押し付けられて保持される。
また、板バネ部材６１の脚部６４の撓みに基づく弾発力によって押え部６５が押え位置まで前進するときに、その押え部６５が導電部材１０ａ、１０ｂに当たって打ち音を発生する。このため、固定の成形型３０の載置部３４に対し導電部材１０ａ、１０ｂが載置されたときの節度感が前記打ち音によって明確に得られる。
【００１７】
前記したように、固定の成形型３０の各載置部３４に導電部材１０（導電部材１０ａ、１０ｂも含む）が載置された後、図５に示すように、可動の成形型４０が型締め位置まで下降する。
この際、板バネ部材６１の押え部６５によって、浮き上がりが生じやすい導電部材１０ａ、１０ｂが表面側から固定の成形型３０の載置部３４に向けて弾性的に押し付けられて保持されている。
このため、可動の成形型４０が型締めされる直前に、導電部材１０ａ、１０ｂの一部が可動の成形型４０の一部分に不測に当たって、導電部材１０ａ、１０ｂが固定の成形型３０の載置部３４から位置ずれする不具合が防止される。この結果、その後、可動の成形型４０を型締めし、スライド型５０が前進位置まで前進するときに、導電部材１０ａ、１０ｂが固定の成形型３０、可動の成形型４０及びスライド型５０の間にくい込み、これが原因となってこれら成形型３０、４０、５０が破損する不具合が解消される。
【００１８】
前記したように可動の成形型４０が型締めされ、図３に示すように、スライド型５０が前進位置まで前進した後、射出口（図示しない）からキャビティ２１内に合成樹脂材料が射出される。これによって、図６〜図８に示すように、コネクタ部５を一体に有する本体ケース２が成形されると同時に、本体ケース２の所要位置に複数の導電部材１０（導電部材１０ａ、１０ｂも含む）のインサート部分がインサートされる。
前記のようにして、コネクタ部５を一体に有する本体ケース２に複数の導電部材１０のインサート部分をインサートして成形品１が成形された後、スライド型５０が元の位置まで後退し、可動の成形型４０が元の型開き位置まで上昇する。
【００１９】
ここで、固定の成形型３０から成形品１が脱型され、成形の１サイクルが完了する。
前記固定の成形型３０から成形品１が脱型される際、固定の成形型３０に対し成形品１が上方に引き上げられることで容易に脱型される。すなわち、固定の成形型３０に対し成形品１が上方に引き上げられると、その成形品１の導電部材１０のうち、図４において左から２番目と３番目の導電部材１０ａ、１０ｂの露出部分が板バネ部材６１の押え部６５の押え面に接しながら、同板バネ部材６１の脚部６４を弾性的に撓ませる。これによって、押え部６５が導電部材１０ａ、１０ｂの離脱を許容する退避位置まで後退する（図１の（Ｂ）参照）。このため、固定の成形型３０から成形品１が容易に脱型する。
【００２０】
前記したように、この実施の形態において、導電部材１０の露出部分の表面（上面）側から固定の成形型３０の載置部３４に向けて弾性的に押し付けて保持するための保持手段６０は、押え部６５と弾発部６８とを備えかつ平帯状のバネ板材が所要とする形状に折り曲げられて形成された一つの板バネ部材６１によって一体に形成されている。このため、保持手段６０としての板バネ部材６１を容易にかつ安価に製作することができるとともに、固定の成形型３０の組付凹部３５に対する板バネ部材６１の組み付けも取付ネジ６３によって極めて簡単に組み付けることができる。
【００２１】
なお、前記実施の形態においては、５本の導電部材１０のうち、固定の成形型３０の載置部３４から浮き上がりが生じやすい図４における左側から２番目と３番目の導電部材１０ａ、１０ｂに対し保持手段６０としての板バネ部材６１が配設される場合を例示したが、これに限定するものではない。例えば、複数の導電部材１０の全てに対し保持手段６０としての板バネ部材６１を配設して固定の成形型３０の載置部３４からの全ての導電部材１０の浮き上がりを防止するように構成してもよい。
また、保持手段６０としての板バネ部材６１において、図９の（Ａ）及び（Ｂ）に示すように、固定の成形型３０の組付凹部３５の底面に取付ネジ６３によって固定される取付部６２と、取付部６２の一端に直角状に折り曲げ形成されて上方に向けて立ち上がりかつ弾発部６８として機能する脚部６４と、脚部６４の先端に下向きの湾曲状をなして屈曲形成された押え部６５と、押え部６５の先端に延出された差込案内部６７とによって板バネ部材６１を形成しても略同様の作用効果を奏する。
【００２２】
また、前記実施の形態では、導電部材１０の露出部分を、表面側から固定の成形型３０の載置部３４に向けて押し付ける押え位置と、導電部材１０の露出部分から退避する退避位置とに変位する押え部６５と、押え部６５を前記押え位置に向けて弾発する弾発部６８とを備えた保持手段６０が板バネ部材６１によって構成される場合を例示したが、これに限定するものではない。
例えば、図１０の（Ａ）及び（Ｂ）に示すように、固定の成形型３０の所定位置に組み付けられるホルダー体７０に対し、前側下半部が押え部７５として機能するボール状の可動押付部材７１を横方向に進退可能に組み付けるとともに、同ホルダー体７０に対し可動押付部材７１の前側下半部の押え部７５を押え位置に弾発する弾発部として機能するコイルスプリングよりなるバネ部材７８を組み付けて保持手段６０を構成してもよい。
この場合、ボール状の可動押付部材７１をバネ部材７８の弾発力に抗して比較的小さい力で退避位置まで後退させることが可能となり、固定の成形型３０の載置部３４に対する導電部材１０ａ、１０ｂの着脱操作が軽快かつ容易となる。
【００２３】
また、図１１の（Ａ）及び（Ｂ）に示すように、固定の成形型３０の組付凹部３５に対し、上端部８５の下向き傾斜面が押え部８５として機能する傾動押付部材８１を押え位置と退避位置との間で変位可能となるように、下端部においてピン８９を中心として傾動可能に組み付け、傾動押付部材８１を押え位置に向けて弾発する弾発部として機能するバネ部材８８を、傾動押付部材８１と組付凹部３５の内壁面との間に組み付けて保持手段６０を構成してもよい。
【００２４】
また、前記実施の形態では、合成樹脂製の成形品本体としてのコネクタ部５を一体に有する本体ケース２に対し、板状のインサート部材としかつ一端にコネクタピン１３を有する導電部材１０がインサートされる成形品１を成形するための成形型装置を例示したが、これに限定するものではない。
また、前記実施の形態では、一対の成形型が、固定の成形型３０と、固定の成形型３０に対し上下方向に型開き及び型締め動作される可動の成形型４０によって構成される場合を例示したが、これに限定するものではない。例えば、固定の成形型３０に対し可動の成形型４０が左右方向（水平方向）に型開き及び型締め動作されるように構成してもよい。
【００２５】
【発明の効果】
以上述べたように、この発明によれば、押え部と弾発部とを備えた簡単な構造の保持手段によって成形型の載置部に載置されたインサート部材を位置ずれすることなく確実に保持することができ、インサート部材の不測の位置ずれが原因となる不具合を解消することができる。
【図面の簡単な説明】
【図１】  この発明の実施の形態に係る成形型装置における固定の成形型の載置部に導電部材が載置され板バネ部材によって押え付けられて保持された状態と板バネ部材が退避位置まで退避した状態とをそれぞれ拡大して示す断面図である。
【図２】  同じく固定の成形型の載置部に導電部材が載置された状態を示す固定の成形型の平面図である。
【図３】  同じく固定の成形型に対し可動の成形型が型締めした状態を示す図２のＩＩＩ−ＩＩＩ線に沿う断面図である。
【図４】  同じく固定の成形型に対し可動の成形型が型開きした状態を示す図２のＩＶ−ＩＶ線に沿う断面図である。
【図５】  同じく固定の成形型に対し可動の成形型が型締めした状態を示す断面図である。
【図６】  同じくコネクタ部を一体に有する本体ケースに導電部材がインサートされた成形品を示す斜視図である。
【図７】  同じく成形品の平面図である。
【図８】  同じく図７のＶＩＩＩ−ＶＩＩＩ線に沿う成形品の断面図である。
【図９】  同じく保持手段としての板バネ部材の他の実施態様を示す説明図である。
【図１０】  同じく保持手段がボール状の可動押付部材とバネ部材によって構成された実施態様を示す説明図である。
【図１１】  同じく保持手段が傾動押付部材とバネ部材によって構成された実施態様を示す説明図である。
【符号の説明】
２  本体ケース（成形品本体）
５  コネクタ部
１０  導電部材（インサート部材）
２０  成形型装置
２１  キャビティ
３０  固定の成形型
４０  可動の成形型
６０  保持手段
６１  板バネ部材
６５  押え部
６８  弾発部
７１  可動押付部材
７８  バネ部材
８１  傾動押付部材
８８  バネ部材
【図１】
0003763051.tif 000002
【図２】
0003763051.tif 000003
【図３】
0003763051.tif 000004
【図４】
0003763051.tif 000005
【図５】
0003763051.tif 000006
【図６】
0003763051.tif 000007
【図７】
0003763051.tif 000008
【図８】
0003763051.tif 000009
【図９】
0003763051.tif 000010
【図１０】
0003763051.tif 000011
【図１１】
0003763051.tif 000012